(57)【要約】【課題】  床、手、顔、衣服等が液体で汚れることなく、ローラ刷毛に液体を均一に付与でき、またはローラ刷毛を洗浄液等の液体で良好に洗浄することのできる、ローラ刷毛用の液体収容用容器の提供。【解決手段】  上部に開口を有する液体収容用の容器本体部と、下部にローラ刷毛挿入用の円形孔を有し当該円形孔に向かってテーパー状に収斂した側周壁を有する漏斗状体を備え、容器本体部と漏斗状体部とが、容器本体部の内部が漏斗状体部の前記円形孔を通して外部と連通し当該円形孔以外の箇所からは外部への液漏れが生じない液密構造をなして容器本体部の上部の開口部分で連結しているローラ刷毛用の液体収容用容器。【選択図】      図５
2008049218.tif 000002
【特許請求の範囲】
【請求項１】
上部に開口を有する液体収容用の容器本体部および漏斗状体部を備え、当該漏斗状体部は下部にローラ刷毛挿入用の円形孔を有し当該円形孔に向かってテーパー状に収斂した側周壁を有する漏斗状構造を有し、容器本体部と漏斗状体部とが、容器本体部の内部が漏斗状体部の前記円形孔を通して外部と連通し当該円形孔以外の箇所からは外部への液漏れが生じない液密構造をなして容器本体部の上部の開口部分で連結していることを特徴とするローラ刷毛用の液体収容用容器。
【請求項２】
液体収容用の容器本体部が、上部に開口を有する有底の筒状体またはボトル状体である請求項１に記載のローラ刷毛用の液体収容用容器。
【請求項３】
漏斗状体部の下部に設けたローラ刷毛挿入用の円形孔を、容器本体部の上部の開口よりも下方の容器本体部の内側に位置させて容器本体部と漏斗状体部を連結してなる請求項１または２に記載のローラ刷毛用の液体収容用容器。
【請求項４】
漏斗状体部の下部に設けたローラ刷毛挿入用の円形孔を、容器本体部の上部の開口よりも上方の容器本体部の外側に位置させて容器本体部と漏斗状体部を連結してなる請求項１または２に記載のローラ刷毛用の液体収容用容器。
【請求項５】
漏斗状体部の下部に設けたローラ刷毛挿入用の円形孔の下側に短尺の円筒形延長部を有する請求項１〜４のいずれか１項に記載のローラ刷毛用の液体収容用容器。
【請求項６】
漏斗状体部のローラ刷毛挿入用の円形孔の下側に設けた前記円筒形延長部を、液体収容用容器に挿入するローラ刷毛のローラ径に応じて、交換可能に前記円形孔に取り付けてなる請求項５に記載のローラ刷毛用の液体収容用容器。
【請求項７】
ローラ刷毛に液体を付与するか、またはローラ刷毛を液体で洗浄処理するための容器である請求項１〜６のいずれか１項に記載のローラ刷毛用の液体収容用容器。
【発明の詳細な説明】
【技術分野】
【０００１】
本発明は、ローラ刷毛用の液体収容用容器に関する。より詳細には、本発明は、ローラ刷毛を塗料、糊液などの液体に漬けてローラ刷毛に液体を付与する際に、当該液体で床、手、顔、衣服などが汚れたり、過剰の液体がローラ刷毛に付着するのを防ぎながらローラ表面に液体を均一に付与し、それによって塗り斑のない美麗な塗布面を良好な操作性で形成することのできるローラ刷毛用の液体収容用容器、更には塗布作業や清掃作業などに使用したローラ刷毛を洗浄液で洗浄する際に洗浄液で床、手、顔、衣服などが汚れるのを防ぎながらローラ刷毛を簡単な操作で円滑に洗浄することのできるローラ刷毛用の液体収容用容器に関する。
【背景技術】
【０００２】
ローラ刷毛（ペイントローラー）に塗料を付与して塗装作業を行うにあたっては、従来、塗料を収容した缶やその他の容器にローラ刷毛をそのまま漬け、塗料が過剰に付着した場合は容器の縁でローラ刷毛をしごいて余分な塗料を除いてから塗装に用いることが一般的に行われている。その場合に、塗料へのローラ刷毛の浸漬や、ローラ刷毛からの余分な塗料の除去作業の際に、塗料が容器やローラ刷毛から垂れ落ちたり、飛散して、床、手、顔、衣服などが汚れたり、塗料の無駄を生じたりすることが多い。また、ローラ刷毛に付着した余分の塗料を除去するために塗料を入れた容器の縁でしごくと、ローラ刷毛の特定箇所の塗料のみが除去されて、ローラ刷毛の表面全体に塗料が均一に付着した状態とならないために、塗装時に塗り斑が生じ、均一に仕上がらず、またローラ刷毛を容器の縁でしごく際に手に傷がついたりするなどの問題が多く発生していた。
【０００３】
また、塗布作業、清掃作業などに使用したローラ刷毛を洗浄するに当たっては、従来、洗浄液をバケツなどに入れておき、そこにローラ刷毛を漬けて洗浄することが一般的に行われている。しかしながら、その場合には洗浄液がバケツからこぼれたり、飛散したり、ローラ刷毛から垂れ落ちたりして、床、手、顔、衣服などが汚れることが多かった。
【０００４】
上記の点から、塗料を収容した容器にローラ刷毛を漬けてローラ刷毛に塗料を付着させる際に手を傷つけたりすることなく余分の塗料を円滑に掻き取れるようにするために、塗料を収容した容器内に余分の塗料を掻き取るための網状体を取り付けた塗料収納容器が提案されている（特許文献１を参照）。
しかしながら、この塗料収容容器では、網状体を使用して余分の塗料をローラ刷毛から掻き取る際に、塗料が飛散して床、手、顔、衣類などを汚し易いものであった。
【特許文献１】特開平９−１３６０５７号公報
【発明の開示】
【発明が解決しようとする課題】
【０００５】
本発明の目的は、塗料や糊液などの液体を収容した容器にローラ刷毛を浸漬してローラ刷毛に液体を付着させる際に、液体が容器からこぼれたり飛散することがなくなり、更には液体がローラ刷毛から垂れ落ちたりすることがなくなり、それによって床、手、顔、衣服などが液体で汚れることのない、ローラ刷毛用の液体収容用の容器を提供することである。
また、本発明の目的は、塗料、糊液などの液体を収容した容器にローラ刷毛を浸漬してローラ刷毛に液体を付着させる際に、液体が容器からこぼれたり飛散したりせず、液体の無駄を防ぎながら、ローラ刷毛に液体を均一に付着させることのできる、ローラ刷毛用の液体収容用容器を提供することである。
さらに、本発明の目的は、容器に入れた洗浄液にローラ刷毛を漬けて洗浄する際に、洗浄液が容器からこぼれたり飛散することがなくなり、更には洗浄液がローラ刷毛から垂れ落ちたりすることがなくなり、それによって床、手、顔、衣服などが洗浄液で汚れることのない、ローラ刷毛用の液体収容用の容器を提供することである。
また、本発明の目的は、液体を収容した容器にローラ刷毛を浸漬して、ローラ刷毛に液体を付着させる作業や、ローラ刷毛を液体で洗浄する作業などを行う際に、それらの作業を安全に且つ簡単に行うことのできる、ローラ刷毛用の液体収容用容器を提供することである。
【課題を解決するための手段】
【０００６】
本発明者らは、前記した目的を達成するために鋭意検討を重ねてきた。その結果、ローラ刷毛に付着させる液体またはローラ刷毛洗浄用の洗浄液を、上部の開口した容器本体内に入れ、その容器本体の開口部分に、下部にローラ刷毛を挿入し得る円形孔を有する漏斗状体を、当該円形孔を通してのみ容器本体の内部が外部と連通するようにして連接させると、漏斗状体部分からその下部のローラ刷毛挿入孔を通してローラ刷毛を容器本体内に浸漬させてローラ刷毛に液体を付着させる際に、またはローラ刷毛を容器本体内の洗浄液で洗浄する際に、容器本体内の液体が外部に漏れたり、飛散することが防止されて、容器本体内の液体による床、手、顔、衣服などの汚れが防止できることを見出した。
さらに、本発明者らは、前記した構造を有する液体収容用の容器では、漏斗状体におけるローラ刷毛を挿入するための円形孔のサイズをローラ刷毛のサイズに適合したものとすることによって、当該円形孔から容器本体内に挿入したローラ刷毛を抜き取る際に、ローラ刷毛の全周面に対して適度で均一な圧搾作用（スクイーズ作用）が働いて、ローラ刷毛の全周面に液体が均一に付与され、またローラ刷毛からの液体の垂れ落ちが防止されることを見出した。
【０００７】
また、本発明者らは、容器本体の上部の開口部分に上記した漏斗状体を連結するに当たっては、漏斗状体の下部に設けた円形孔が容器本体の上部の開口よりも下方の容器本体の内側に位置するようにしてもよいし、または漏斗状体の下部に設けた円形孔が容器本体の上部の開口よりも上方の容器本体の外側に位置するようにしてもよく、いずれも、上記した優れた作用効果が得られることを見出した。
さらに、本発明者らは、漏斗状体の下部に設けたローラ刷毛挿入用の円形孔の下側に短尺の円筒形延長部を形成することが望ましく、それによって、円形孔を通しての容器本体部へのローラ刷毛の挿入および容器本体部からのローラ刷毛の抜き取りをよりスムーズに安定して行うことができ、ローラ刷毛からの余分な液体の除去をより円滑に行うことができ、しかも円形孔を通してのローラ刷毛の挿入および抜き取り時のローラの損傷を低減することができ、更に円形孔の早期破損を防止することができることを見出し、それらの知見に基づいて本発明を完成した。
【０００８】
すなわち、本発明は、
（１）  上部に開口を有する液体収容用の容器本体部および漏斗状体部を備え、当該漏斗状体部は下部にローラ刷毛挿入用の円形孔を有し当該円形孔に向かってテーパー状に収斂した側周壁を有する漏斗状構造を有し、容器本体部と漏斗状体部とが、容器本体部の内部が漏斗状体部の前記円形孔を通して外部と連通し当該円形孔以外の箇所からは外部への液漏れが生じない液密構造をなして容器本体部の上部の開口部分で連結していることを特徴とするローラ刷毛用の液体収容用容器である。
【０００９】
そして、本発明は、
（２）  液体収容用の容器本体部が、上部に開口を有する有底の筒状体またはボトル状体である前記（１）のローラ刷毛用の液体収容用容器；
（３）  漏斗状体部の下部に設けたローラ刷毛挿入用の円形孔を、容器本体部の上部の開口よりも下方の容器本体部の内側に位置させて容器本体部と漏斗状体部を連結してなる前記（１）または（２）のローラ刷毛用の液体収容用容器；
（４）  漏斗状体部の下部に設けたローラ刷毛挿入用の円形孔を、容器本体部の上部の開口よりも上方の容器本体部の外側に位置させて容器本体部と漏斗状体部を連結してなる前記（１）または（２）のローラ刷毛用の液体収容用容器；
（５）  漏斗状体部の下部に設けたローラ刷毛挿入用の円形孔の下側に短尺の円筒形延長部を有する前記（１）〜（４）のいずれかのローラ刷毛用の液体収容用容器；
（６）  漏斗状体部のローラ刷毛挿入用の円形孔の下側に設けた前記円筒形延長部を、液体収容用容器に挿入するローラ刷毛のローラ径に応じて、交換可能に前記円形孔に取り付けてなる前記（５）のローラ刷毛用の液体収容用容器；および、
（７）  ローラ刷毛に液体を付与するか、またはローラ刷毛を液体で洗浄処理するための容器である前記（１）〜（６）のいずれかのローラ刷毛用の液体収容用容器；
である。
【発明の効果】
【００１０】
本発明のローラ刷毛用の液体収容用容器を用いる場合は、液体収容用容器における漏斗状体部分からその下部のローラ刷毛挿入孔を通してローラ刷毛を容器本体内に入れておいた塗布用液や洗浄液などの液体に浸漬させて、ローラ刷毛に液体を付着させたり、ローラ刷毛を容器本体内の洗浄液で洗浄することによって、容器本体内の液体が外部に漏れたり、飛散するのが防止されて、容器本体内の液体による床、手、顔、衣服などの汚れを防ぐことができる。
本発明のローラ刷毛用の液体収容用容器では、漏斗状体におけるローラ刷毛を挿入するための円形孔のサイズをローラ刷毛のローラ径に適合したものとすることによって、当該円形孔から容器本体内に挿入したローラ刷毛を抜き取る際に、ローラ刷毛の全周面に対して適度で且つ均一な圧搾作用（スクイーズ作用）が働くため、ローラ刷毛の全周面に液体を均一に付与することができ、しかもローラ刷毛からの液体の垂れ落ちを防止することができる。
【００１１】
本発明の液体収容用容器は、容器本体部の上部の開口部分に、下部にローラ刷毛挿入用の円形孔を有し且つ当該円形孔に向かってテーパー状に収斂した側周壁を有する漏斗状体部を連結してあるために、液体収容用容器へのローラ刷毛の挿入時および液体収容用容器からのローラ刷毛の抜き取り時に、ローラ刷毛から垂れ落ちた液体が、漏斗状体部内に集められてそのテーパー状の側周壁を伝って容器本体部へと流れ落ちるので、ローラ刷毛から垂れ落ちた液体が液体収容用容器から外部に垂れ落ちるのを防ぐことができ、更には液体が液体収容用容器の外部に飛散するのを防ぐことができる。
さらに、本発明の液体収容用容器のうち、漏斗状体の下部に設けたローラ刷毛挿入用の円形孔の下側に短尺の円筒形延長部を有するものでは、当該円形孔を通しての容器本体部へのローラ刷毛の挿入および容器本体部からのローラ刷毛の抜き取りをよりスムーズに安定して行うことができ、ローラ刷毛からの余分な液体の除去がより円滑になされ、円形孔を通してのローラ刷毛の挿入および抜き取り時のローラの損傷を低減することができ、円形孔の早期破損を防止することができ、更にはローラ刷毛のローラからの液体のスクイーズをより円滑に行うことができる。
【発明を実施するための最良の形態】
【００１２】
以下に本発明について詳細に説明する。
本発明のローラ刷毛用の液体収容用容器（以下単に「本発明の液体収容用容器」ということがある）は、液体を収容するための上部に開口を有する容器本体部と、漏斗状体部とが、容器本体部の上部の開口部分で連結した構造を有する。
本発明の液体収容用容器における容器本体部は、液体の収容が可能な、上部に開口を有する容器であって、且つ当該容器内に収容した液体を該容器内でローラ刷毛に付与することができるかまたは当該容器内に収容した液体（洗浄液）によって該容器内でローラ刷毛を洗浄することのできる容器であればいずれでもよい。
そのうちでも、容器本体部は、上部に開口を有する有底の筒状体またはボトル状体であることが、容器本体部に液体を収容し易く、しかも容器本体部内に液体を収容してローラ刷毛に液体を付着させる作業またはローラ刷毛を洗浄する作業が円滑に行える点から好ましい。
【００１３】
容器本体部が、上部に開口を有する有底の筒状体からなる場合は、当該筒状体は、例えば、円形筒（円筒形）、方形筒（横断面が四角形または長方形）、多角形筒（断面が例えば六角形や八角形などの多角形）などのいずれの形状であってもよい。また、当該筒状体は底面から上部の開口までその横断面形状および内径（内部寸法）が同じであってもよいし、ローラ刷毛の液体収容用容器内での操作に支障が生じない限りは、場合によっては途中でくびれた形状（径が狭くなった形状）であってもよいし、または底面から上部の開口に向かって内径（内部寸法）が徐々に縮小した形状または拡大した形状であってもよい。
【００１４】
容器本体部が有底の筒状体からなる場合に、容器本体部をなす有底の筒状体における上部の開口の形状および寸法は、筒状体の横断面形状および内径（内部寸法）と同じであってもよいし、または筒状体の内径（内部寸法）よりも小さくてもよい。
本発明の液体収容用容器において、漏斗状体部の下部に設けたローラ刷毛挿入用の円形孔を、容器本体部をなす有底の筒状体の上部の開口よりも下方に位置させて、すなわち筒状体の内側に位置させて筒状体（容器本体部）と漏斗状体部を連結する場合は、例えば後に詳述する図１の（ａ）〜（ｅ）に示す液体収容用容器におけるように、筒状体の上部の開口の形状および寸法を、漏斗状体部の側周壁の最上部の形状および寸法と同じにし、筒状体の上部の開口の周囲に漏斗状体部の側周壁の最上部の周囲を合致させてそれらの周囲部分を液密に連結させるようにするのがよい。
【００１５】
また、容器本体部が、上部に開口を有するボトル状体からなる場合は、当該ボトル状体の形成は特に制限されず、例えば、横断面が円形、方形（正方形または長方形）、多角形筒（六角形や八角形など）などのいずれの形状であってもよい。当該ボトル状体では、ボトル状体の本体部分（開口部分以外の本体部分）は、底面から上部までその横断面形状および内径（内部寸法）が同じであってもよいし、ローラ刷毛の液体収容用容器内での操作に支障が生じない限りは、場合によっては途中でくびれた形状（径が狭くなった形状）であってもよいし、または底面から上部の開口に向かって内径が徐々に縮小した形状または拡大した形状であってもよい。
ボトル状体では、その上部の開口部分の内径は、ボトル状本体の内径（内部寸法）に比べて一般に小さくなっているが、当該開口部分の内径は、ローラ刷毛が挿入可能な大きさであることが必要である。
【００１６】
容器本体部がボトル状体からなる場合には、上部の開口の内径（内部寸法）が漏斗状体部の側周壁の最上部の寸法よりも小さいことが多いので、例えば、後で詳述する図２の（ａ）〜（ｃ）に示す液体収容用容器におけるように、漏斗状体部の下部に設けたローラ刷毛挿入用の円形孔を、容器本体部（ボトル状体）の上部の開口よりも上方に位置させて、すなわち容器本体部（ボトル状体）の外側に位置させて容器本体部と漏斗状体部を連結部分での液密を維持しながら連結することで、本発明の液体収容用容器が得られる。
【００１７】
容器本体部の高さや内容量などは特に制限されず、本発明の液体収容用容器で扱うローラ刷毛のサイズ（特にローラ刷毛におけるローラ部分の長さや直径）に応じて決めることができる。ローラ刷毛のローラの表面全体またはほぼ全体に液体を付与できるようにするためには、またローラ刷毛のローラ全体を洗浄できるようにするためには、容器本体部の高さ寸法を、ローラ刷毛のローラの長さよりも大きくする必要がある。
一般的には、容器本体部の高さ（容器本体部の底面から上部の開口までの高さ）は、ローラ刷毛のローラの長さの１．１倍以上、特に１．３〜３倍程度にしておくことが好ましい。
【００１８】
本発明の液体収容用容器における漏斗状体部は、下部にローラ刷毛挿入用の円形孔を有し、当該円形孔に向かってテーパー状に収斂した側周壁を有する漏斗状構造を有するものであれば、いずれでもよい。
漏斗状体部におけるテーパー状に収斂した側周壁は、例えば、円錐台形、四角錐台形、５角形以上の多角錐台形などのいずれであってもよい。
また、漏斗状体部におけるテーパー状に収斂した側周壁は、テーパー状を維持したまま下部のローラ刷毛挿入用の円形孔まで延びていてもよいし、例えば後で詳述する図１の（ｂ）および（ｃ）の液体収容用容器に端的に示されているように、漏斗状体部をテーパー状に収斂した側周壁、当該側周壁の下端に位置する平坦な底面および当該底面に設けたローラ刷毛挿入用の円形孔から形成してもよい。
【００１９】
漏斗状体部におけるテーパー状をなす側周壁の傾斜角度は、ローラ刷毛から漏斗状体部に落ちた液体が、下部の円形孔から容器本体部内へと円滑に流れ落ちることのできる角度であって、しかも漏斗状体部の当該円形孔から容器本体部にローラ刷毛を挿入したり、該円形孔を通してローラ刷毛を抜き取る際に液体が漏斗状体部の外側に飛び散らずに漏斗状体部内で液体を集められるような一定の広がりのある角度にしておくことが望ましい。前記の点から、漏斗状体部におけるテーパー状をなす側周壁の傾斜角度は、一般的に５°〜６０°、更に１０°〜３０°、特に１５°〜２０°であることが好ましい。
【００２０】
また、漏斗状体部における最上部（テーパー状をなす側周壁の最上部）の内径（多角形の場合は最も長い径）または一辺の長さ（方形の場合）は、取り扱うローラ刷毛のサイズや構造、容器本体部のサイズ、漏斗状体部の下部の円形孔を容器本体部の内側に位置させるかまたは外側に位置させるかなどによって異なり得るが、一般的には容器本体部の内径（内部寸法）の０．８〜１．３倍、特に０．９〜１．０倍であることが、容器本体部と漏斗状体部との連結を円滑に行うことができ、液体収容用容器が倒れにくく、液体収容用容器の取り扱い性が良好であり、しかも携帯性に優れるなどの点から好ましい。
【００２１】
また、漏斗状体部における下部の円形孔から側周壁の上端部分の高さは、漏斗状体部の前記円形孔を容器本体部の内側に位置させるか、または容器本体部の外側に位置させるか、漏斗状体部の側周壁の上端部分の内径（内部寸法）、側周壁の傾斜角度などに応じて異なり得るが、一般的には、１０〜５０ｍｍ、特に１５〜３０ｍｍ程度であることが好ましい。漏斗状体部における下部の円形孔から側周壁の上端部分の高さが小さすぎると、漏斗状体部に溜まった液体が漏斗状体部から外に漏れ易くなり、一方前記高さが大きすぎると、ローラ刷毛を漏斗状体部の下部の円形孔から容器本体部内に挿入したときに、ローラ刷毛のローラ部分が容器本体部内の液体に十分に浸漬しなくなって、ローラ刷毛のローラに液体が十分に付与されなくなり、または洗浄液によるローラの洗浄が不十分になり易い。
【００２２】
漏斗状体部の下部に設けた円形孔の孔径は、液体収容用容器で取り扱うローラ刷毛のローラの直径に適合したものとする必要がある。円形孔の孔径が小さすぎると、ローラ刷毛を当該円形孔を通して容器本体部に挿入したり、容器本体部から抜き取る作業が困難になり、一方円形孔の孔径が大きすぎると、円形孔部分でのローラ刷毛からの液体の適度な除去（スクイーズ）が行われなくなる。
一般的には、漏斗状体部の下部に設けた円形孔の孔径は、液体収容用容器で取り扱うローラ刷毛のローラの直径の１〜１．７倍、特に１．１〜１．３倍程度であることが好ましい。
取り扱うローラ刷毛のローラが、押圧するとその直径がかなり縮小し得る弾力性材料から形成されている場合には、漏斗状体部の下部の円形孔の孔径は、ローラ刷毛のローラの直径よりも多少小さくても構わない。
【００２３】
また、漏斗状体部では、その下部にローラ刷毛挿入用の円形孔を単に形成しただけでもよいが、当該円形孔の下側に短尺の円筒形延長部を形成しておくことが好ましい。短尺の円筒形延長部を形成することで、円形孔を通しての容器本体部へのローラ刷毛の挿入および容器本体部からのローラ刷毛の抜き取りをよりスムーズに安定して行うことができ、ローラ刷毛からの余分な液体の除去がより円滑になされ、円形孔を通してのローラ刷毛の挿入および抜き取り時のローラの損傷を低減することができ、しかも円形孔の早期破損を防止することができる。
円形孔の下側に形成する円筒形延長部の長さは、取り扱うローラ刷毛の形状や寸法、液体収容用容器の大きさなどに応じて異なり得るが、一般的には３〜１５ｍｍ、特に５〜１０ｍｍ程度であることが、円筒形延長部の前記した機能を良好に発揮させ得る点から好ましい。
【００２４】
円筒形延長部は、漏斗状体部の下部の円形孔と一体に形成してもよいし、または円筒形延長部に相当する短尺の円筒体を別途形成しておき、その円筒体を前記円形孔に取り付けるようにしてもよい。
短尺の円筒体を別途形成しておいて、それを前記円形孔に取り付ける場合に、内径の異なる短尺の円筒体を複数用意しておいて、液体収容用容器で取り扱うローラ刷毛のローラ径に応じて、それに適合した内径を有する円筒体を漏斗状体部の下部の円形孔に、着脱可能に且つ交換可能に取り付け得るようにしておくと、本発明の液体収容用容器を、ローラ径の異なる複数のローラ刷毛に対して共通して使用可能にすることができる。
【００２５】
本発明の液体収容用容器では、上記した容器本体部と漏斗状体部が、容器本体部の内部が漏斗状体部の前記円形孔を通してのみ外部と連通し当該円形孔以外の箇所からは外部への液漏れが生じない液密構造をなして容器本体部の上部の開口部分で連結した構造を有する。
容器本体部と漏斗状体部とは、前述のように、漏斗状体部の下部に設けたローラ刷毛挿入用の円形孔を容器本体部の上部の開口よりも下方の、容器本体部の内側に位置させた状態で連結してもよいし［例えば後述する図１の（ａ）〜（ｅ）］、または漏斗状体部の下部に設けたローラ刷毛挿入用の円形孔を容器本体部の上部の開口よりも上方の、容器本体部の外側に位置させた状態で連結してもよい［例えば後述する図２の（ａ）〜（ｃ）］。
容器本体部と漏斗状体部の連結に当たっては、漏斗状体部のローラ刷毛挿入用の円形孔が、容器本体部の高さ方向の中央軸またはその近傍に位置させて連結することが好ましいが、場合によっては漏斗状体部のローラ刷毛挿入用の円形孔が容器本体部の前記した中央軸から外れた場所に位置するようにして連結してもよい［例えば後述する図１の（ｅ）の液体収容用容器］。
【００２６】
本発明の液体収容用容器では、容器本体部と漏斗状体部の連結に当たっては、漏斗状体部における短尺の円筒形延長部をも含めて一体に形成してもよいし（例えば一体成形などによる）、容器本体部と漏斗状体部を別々に形成しておいて後から分離不能に連結してもよいし、容器本体部と漏斗状体部を別々に形成しておいて着脱自在に連結してもよいし、漏斗状体部における短尺の円筒形延長部を除いて容器本体部と漏斗状体部を一体に形成した後に漏斗状体部のローラ刷毛挿入用の円形孔に円筒形延長部を着脱可能または着脱不能に取り付けてもよい。
【００２７】
また、本発明の液体収容用容器では、必要に応じて、当該容器の把持、搬送、携帯の便のために、取手を取り付けたり、身体装着用のベルトを取り付けてもよい。
さらに、本発明の液体収容用容器の不使用時に、ゴミなどが入らないように、また容器本体部内の液体が外にこぼれないように、漏斗状体部の上部開口（側周壁の上部開口）を覆う蓋体を着脱可能に設けてもよい。
【００２８】
本発明の液体収容用容器の材質は特に制限されず、液体収容用容器中に収容する液体に対して耐性を有し且つ液漏れの生じない材質から形成されていればよく、例えば、金属、プラスチックなどから形成することができる。そのうちでも、軽量で取り扱い性や搬送性に優れ、また製造が容易で、低コストであるなどの点から、プラスチックから形成することが好ましい。その際のプラスチックとしては、例えば、ポリエチレンテレフタレート、ポリブチレンテレフタレートなどのポリエステル、ポリエチレン、ポリプロピレン、ポリ塩化ビニル、ポリカーボネート、ポリ乳酸などの熱可塑性プラスチック、ＦＲＰなどを挙げることができる。
本発明の液体収容用容器を透明なプラスチックから形成すると、容器内に収容した液体の量や状態などを外部から確認でき、便利である。
【００２９】
本発明の液体収容用容器に収容して用いる液体の種類は特に制限されず、ローラ刷毛を用いて各種基体に付与して用いられる液体、ローラ刷毛を洗浄するための液体であればいずれでもよく、具体例としては、塗料、接着剤、糊剤、水、洗剤を添加した液、有機溶剤などを挙げることができる。
本発明の液体収容用容器が塗布用の液体を収容している場合には、液体収容用容器に漏斗状体部の円形孔を通してローラ刷毛のローラ部分を挿入することで容器内の液体がローラに液体が付着し、次いでローラを前記円形孔を通して液体収容用容器から抜き取ることによって、余分な液体がローラから除去され、ローラの全面またはほぼ全面に液体が均一に付着した状態になり、均一な塗膜を形成することができる。
また、本発明の液体収容用容器に水、洗剤を添加した液体、有機溶剤などの洗浄液を収容した場合には、そこに漏斗状体部の円形孔を通してローラ刷毛のローラ部分を挿入することによって、ローラに付着していた物質が取り除かれ、しかもローラを前記円形孔を通して液体収容用容器から抜き取ることによって、ローラに付着していた洗浄液が円形孔やその下の円筒形延長部によるスクイーズ作用によって除去されて、ローラ刷毛の洗浄が円滑に行われる。この洗浄操作を行うに当たっては、ローラ刷毛を円形孔から液体収容用容器内に挿入した後に、洗浄を促進するために、容器を振って洗浄液を撹拌してもよい。
【実施例】
【００３０】
以下に図面を参照して、本発明の液体収容用容器について具体的に説明する。
図１の（ａ）〜（ｅ）は本発明の液体収容用容器の具体例を模式的に示した図である。
図１の（ａ）〜（ｅ）において、１は容器本体部（有底の筒状体）、１１は容器本体部１の上部の開口、２は漏斗状体部、２１は漏斗状体部２の下部に設けたローラ刷毛挿入用の円形孔、２２は漏斗状体部におけるテーパー状に収斂した側周壁、２３は円形孔２２の下側に設けた短尺の円筒形延長部、２４は漏斗状体部２のテーパー状に収斂した側周壁２２の上端、２５は漏斗状体部２における円形孔２２を設けた底面、３は取手を示す。
【００３１】
図１において、（ａ）の液体収容用容器は有底の円筒形の容器本体部１を有し、（ｂ）および（ｅ）の液体収容用容器は有底の四角筒形の容器本体部１を有し、（ｃ）の液体収容用容器は有底の六角筒形の容器本体部１を有し、（ｄ）の液体収容用容器は途中で径が狭まった円筒型（鼓形）の容器本体部を有するものである。
図１の（ａ）〜（ｅ）の液体収容用容器では、漏斗状体部２の下部の円形孔２１は、容器本体部１の上部の開口１１よりも下方の位置にあって、円形孔２１が容器本体部１の内側に位置した状態で、容器本体部１の開口１１の周囲と漏斗状体部２の側周壁２２の上端２４の周囲とが液密状態で連結しており（容器本体部１内に収容した液体が当該連結部分から漏れでないようになっており）、容器本体部１の内部が漏斗状体部２の下部に設けた円形孔２２および円筒形延長部２３を通して外部と連通している。
図１に例示するような本発明の液体収容用容器では、ローラ刷毛を挿入するための円形孔２２を有する漏斗状体部２は、図１の（ａ）〜（ｄ）に示すように容器本体部１の中央（中心軸の位置）またはほぼ中央に位置させておくことが取り扱い性、液体収容用容器の製造の容易性などの点から好ましい。しかし、それに限定されるものではなく、図１の（ｅ）に例示するように、容器本体部１の中央からずれた位置に円形孔２２を有する漏斗状体部２を配置してもよい。
【００３２】
図２の（ａ）〜（ｃ）は本発明の液体収容用容器の別の具体例を模式的に示した図である。
図２の（ａ）〜（ｃ）において、１は容器本体部（ボトル状体）、１１は容器本体部１の上部の開口、２は漏斗状体部、２１は漏斗状体部２の下部に設けたローラ刷毛挿入用の円形孔、２２は漏斗状体部におけるテーパー状に収斂した側周壁、２３は円形孔２２の下側に設けた短尺の円筒形延長部、２４は漏斗状体部２のテーパー状に収斂した側周壁２２の上端、２５は漏斗状体部２における円形孔２２を設けた底面を示す。
【００３３】
図２において、（ａ）の液体収容用容器は円筒形のボトル状の容器本体部１を有し、（ｂ）の液体収容用容器は四角筒形のボトル状の容器本体部１を有し、（ｃ）の液体収容用容器は六角筒形のボトル状の容器本体部１を有するものである。
図２の（ａ）〜（ｃ）の液体収容用容器では、漏斗状体部２の下部の円形孔２１は、容器本体部１の上部の開口１１よりも上方の位置で、容器本体部１の外側に位置した状態で、容器本体部１の開口１１の周囲と漏斗状体部２の円形孔２２の下側に設けた円筒形延長部２３の周囲とが液密状態で連結しており（容器本体部１内に収容した液体が当該連結部分から漏れでないようになっており）、容器本体部１の内部が漏斗状体部２の下部に設けた円形孔２２および円筒形延長部２３を通して外部と連通している。
図２で例示するような本発明の液体収容用容器では、ローラ刷毛を挿入するための円形孔２２を有する漏斗状体部２は、図２の（ａ）〜（ｃ）に示すように、容器本体部１の中央（中心軸の位置）またはほぼ中央に位置させておくことが取り扱い性、液体収容用容器の製造の容易性、液体収容用容器の倒立防止などの点から好ましい。
【００３４】
図１および図２に例示する本発明の液体収容用容器では、容器本体部１と漏斗状体部２を取り外しができないように一体に形成してもよいし、別々に製造した容器本体部１と漏斗状体部２とを取り外せないように固着によって連結してもよいし、または別々に製造した容器本体部１と漏斗状体部２を互いに分離可能（着脱可能）なように連結してもよい。
また、図１および図２に例示する本発明の液体収容用容器には、例えば図１の（ｄ）に示すように必要に応じて持ち運びなどの便のために、いずれかの箇所に取手３やその他の運搬用または携帯用の手段を設けてもよい。
また、図に示していないが、図１および図２に例示する本発明の液体収容用容器は、不使用時に容器本体部１内にゴミが入ったり、容器本体部１内の液体が外部にこぼれるのを防止するために、漏斗状体部２の側周壁２２の上端２４全体を覆う蓋体を着脱自在に設けてもよい。
【００３５】
図１および図２に例示する本発明の液体収容用容器では、漏斗状体部２におけるテーパー状をなす側周壁２２の傾斜角度［図１の（ａ）および図２の（ａ）に示すα；他の液体収容用容器でも同様］は、前述のように、一般的に５°〜６０°、更には１０°〜３０°、特に１５°〜２０°であることが好ましい。
また、図１および図２に例示する本発明の液体収容用容器では、漏斗状体部２の下部の円形孔２１から側周壁２２の上端部分２４の高さ［図１の（ａ）および図２の（ａ）に示すｈ；他の液体収容用容器でも同様］は、前述のように、一般的には、１０〜５０ｍｍ、特に１５〜３０ｍｍ程度であることが好ましい。
更に、図１および図２に例示する本発明の液体収容用容器では、漏斗状体部２の下部の円形孔２１の孔径は、前述のように、液体収容用容器で取り扱うローラ刷毛のローラの直径の１〜１．７倍、特に１．１〜１．３倍程度であることが好ましい。
また、漏斗状体部２の下部の円形孔２１の下側に形成する円筒形延長部２３の長さは、前述のように、一般的には３〜１５ｍｍ、特に５〜１０ｍｍ程度であることが好ましい。
【００３６】
図１および図２に例示する本発明の液体収容用容器では、漏斗状体部２の下部の円形孔２１の下側に設けた円筒形延長部２３は、円形孔２１と一体に形成してもよいし、または円筒形延長部２３に相当する短尺の円筒体を別途形成しておき、その円筒体を円形孔２１に取り付けるようにしてもよい。
図３は、漏斗状体部２の下部の円形孔２１への円筒形延長部２３の取り付け構造の一態様を示す図であり、短尺の円筒体を別途形成しておいて、それを前記円形孔に取り付ける場合に、図３に例示するように、フランジ２３１を有する内径の異なる複数の短尺の円筒体２３ａ，２３ｂ，２３ｃ，・・・・を用意しておき、液体収容用容器で取り扱うローラ刷毛のローラサイズ（ローラ径）に応じて、各ローラ刷毛に適合したものを選んで漏斗状体部２の円形孔２１にそのフランジ着脱可能に且つ交換可能に取り付け得るようにしておくと、１個の液体収容用容器をローラ径の異なる複数のローラ刷毛に対して共通して使用することができる。
【００３７】
上記した本発明の液体収容用容器の使用に当たっては、図４の（ａ）に示すように、液体収容用容器Ａ内にローラ刷毛に付着させる液体や、ローラ刷毛を洗浄するための洗浄液を入れた後、そこに、漏斗状体部２の円形孔２１からローラ刷毛Ｂのローラ部分を挿入することによって、ローラに液体収容用容器Ａ内の液体が付着し、またはローラの付着物が洗浄液によって洗い落とされる。
次いで、図４の（ｂ）に示すように、ローラ刷毛Ｂを液体収容用容器Ａから抜き取ると、ローラに付着していた余分の液体が円筒形延長部２３および円形孔２１による圧搾作用（スクウィーズ作用）によって除去されて、ローラ表面全体に液体が均一に付着するか（液体収容用容器Ａに収容した液体が塗布用液体である場合）、ローラに付着した洗浄液がローラから円滑に除去される（液体収容用容器Ａに洗浄液を収容した場合）。
【００３８】
本発明の液体収容用容器は、容器本体部１の上部の開口１１部分に、下部にローラ刷毛挿入用の円形孔２１を有し、当該円形孔２１に向かってテーパー状に収斂した側周壁２２を有する漏斗状体部２を連結してあることによって、図５の（ａ）および（ｂ）に示すように、液体収容用容器へのローラ刷毛の挿入時および液体収容用容器からのローラ刷毛の抜き取り時に、ローラ刷毛から垂れ落ちた液体が、漏斗状体部２内に集められてそのテーパー状の側周壁２２を伝って容器本体部１へと流れ落ちるので、ローラ刷毛から垂れ落ちた液体が液体収容用容器から外部に垂れ落ちるのを防ぐことができ、更には液体が液体収容用容器の外部に飛散するのを防ぐことができる。
それに対して、従来一般に行われているように、上部の開放したバケツやその他の容器に塗布用液体や洗浄液などを入れておいて、そこにローラ刷毛を挿入して液体をローラに付着させたり、ローラ刷毛を洗浄液で洗浄する場合には、液体がバケツやその他の容器から飛び散り易く、ローラ刷毛への液体の付与や、洗浄液によるローラ刷毛の洗浄を円滑に行うことができない。
【産業上の利用可能性】
【００３９】
本発明のローラ刷毛用の液体収容用容器を用いてローラ刷毛に塗料、糊液などの液体を付着させることによって、液体で床、手、顔、衣服などが汚れたり、過剰の液体がローラ刷毛に付着するのを防いで、ローラ表面全体に液体を均一に付着させることができ、それによって塗り斑のない美麗な塗布面を良好な操作性で形成することができ、さらに本発明のローラ刷毛用の液体収容用容器内に洗浄液を入れてローラ刷毛を洗浄することによって、洗浄液で床、手、顔、衣服などが汚れるのを防ぎながらローラ刷毛を簡単な操作で円滑に洗浄することができるため、本発明の液体収容用容器は、ローラ刷毛への液体の付与容器およびローラ刷毛の洗浄容器などとして有効に使用することができる。
【図面の簡単な説明】
【００４０】
【図１】本発明のローラ刷毛用の液体収容用容器の具体例を示す図である。
【図２】本発明のローラ刷毛用の液体収容用容器の別の具体例を示す図である。
【図３】本発明のローラ刷毛用の液体収容用容器における、漏斗状体部の開口部への円筒形延長部の取り付け構造の一例を示す図である。
【図４】本発明のローラ刷毛用の液体収容用容器の使用方法を示す図である。
【図５】本発明のローラ刷毛用の液体収容用容器の使用時の状態を示す図である。
【符号の説明】
【００４１】
Ａ    液体収容用容器
Ｂ    ローラ刷毛
１    容器本体部
１１  容器本体部の上部の開口
２    漏斗状体部
２１  漏斗状体部の円形孔
２２  漏斗状体部のテーパー状の側周壁
２３  円形孔の下側に設けた円筒形延長部
２４  漏斗状体部のテーパー状の側周壁の上端
３    取手
【図１】
2008049218.tif 000003
【図２】
2008049218.tif 000004
【図３】
2008049218.tif 000005
【図４】
2008049218.tif 000006
【図５】
2008049218.tif 000007